(57)【要約】【課題】色知識がないユーザーでも簡単に色調整を行うことが出来るプロジェクタ等の画像表示方法及び画像表示装置を提供する。【解決手段】色調整に使用する色調整用画面２０とカーソル１を備え、色調整画面２０上にカーソル１により指定した色を、指定した色が持つ明るさに対応した色の濃さと色相を第１カラープレーン上５１で座標表示し、さらに目標となる目標色も明るさに対応した色の濃さと色相を第２カラープレーン５３上で座標表示し、色変換させる。【選択図】図３
2006215146.tif 000002
【特許請求の範囲】
【請求項１】
画像表示画面にユーザーが指定して色の調整を行う色調整用画面と、
前記指定した色の色相、色の濃さ（彩度）、明るさ（明度）を指示する目標色指定手段と、
前記目標色指定手段により指示した色の座標を表示する調整色表示手段と、
で構成され、
前記調整色表示手段は、
明るさに対する色の濃さ、色相を示す３次元色空間を示し、
前記指定した色の明るさに対応した色の濃さ、色相の色分布を表示する第１カラープレーンと、
前記目標色指定手段により決定した色の明るさに対応した色の濃さ、色相の色分布を表示する第２カラープレーンと、
を表示する機能を有することを特徴とする画像表示装置。
【請求項２】
前記調整色表示手段では、
前記第１カラープレーンを表示し、前記指定した色の座標を表示した後、前記第１カラープレーンを消去し、
前記第１カラープレーンを消去後、前記第２カラープレーンを表示し、さらに前記第２カラープレーン上の目標色の座標を表示させることを特徴とする請求項１記載の画像表示装置。
【請求項３】
前記第２カラープレーン上の目標色の座標と、第１カラープレーンで指定した色の座標からの変換過程の軌跡を表示することを特徴とする画像表示装置。
【請求項４】
カーソルの画像を映像信号の画像の位置座標上に合成するステップと、
画像をフリーズするステップと、
色調整を対象とする領域を、色調整の対象部分と、元の色とに分ける境界を示す境界線を表示するステップと、
色調整の対象部分の色調整をする色調整用画面を表示するステップと、
前記色調整用画面に対してなされた操作に対応して前記色調整用画面の構成内容を更新するステップと、
前記境界線によって分けられた色調整の対象部分を指示した色に変換するステップと、
１フレームの映像信号すべてを前記指示した色に変換するステップと、
から成り、
前記色調整用画面を表示するステップでは、
明るさに対する色の濃さ、色相を示す３次元色空間を示し、
前記元の色の明るさに対応した色の濃さ、色相の色分布を表示する第１カラープレーンを表示するステップと、
前記色調整の対象部分の色の明るさに対応した色の濃さ、色相の色分布を表示する第２カラープレーンを表示するステップと、
を含むことを特徴とする画像表示方法。
【請求項５】
前記色調整用画面を表示するステップでは、
前記第１カラープレーンを表示するステップと、
前記前記色調整の対象部分の色座標を表示するステップと、
前記第１カラープレーンを消去するステップと、
第１カラープレーンを消去後、前記第２カラープレーンを表示するステップと、
前記第２カラープレーン上で前記目標色の座標を表示するステップと、
を含む請求項４記載の画像表示方法。
【請求項６】
前記第２カラープレーン上の目標色の座標と、第１カラープレーンで指定した色の座標からの変換過程の軌跡を表示するステップを含む請求項４記載の画像表示方法。
【発明の詳細な説明】
【技術分野】
【０００１】
本発明は、プロジェクタ、ＤＶＤプレーヤー、パソコン等によってスクリーンやディスプレイ等の表示媒体に表示される画像を色調整する際の表示態様に関する。
【背景技術】
【０００２】
入力される映像信号に基づいた画像をスクリーン等に拡大投影するプロジェクタは、映像信号のカラー方式や人間の視覚特性に応じて、ユーザが画像の色調整を行うための色調整手段を備えることが望まれる。
【０００３】
特願２００４−１１２８１７号の画像補正装置は、表示画面に調整色パレットと目標色パレットを含む色調整用画面を表示し、ｘ−ｙ色度図を表示させて色を表示し、目標となる色へコントロールさせる。
【特許文献１】特開２００２−２６２２１８号公報
【発明の開示】
【発明が解決しようとする課題】
【０００４】
しかしながら特願２００４−１１２８１７号の表示態様では、ｘ−ｙ色度図という２次元空間（彩度、色相）での色表示となっているため、明るさ（Ｙ）をコントロールさせた時の色状態の変化の度合いが３次元的（明るさ、彩度、色相）に捉えにくく、結果としてユーザーが明るさコントールによる色変更を困難になるという課題があった。
【０００５】
そこで本発明は、色知識がないユーザーでも簡単に色調整を行うことが出来るよう、調整させる色及び目標とする色を３次元色空間のカラープレーンもしくはカラーサークルで表示させ、その中で座標を表示しながら、色変換の調整を行うことのできる画像表示方法及び画像表示装置を提供することを目的とする。
【課題を解決するための手段】
【０００６】
この目的を達成する画像表示装置は、画像表示画面にユーザーが指定して色の調整を行う色調整用画面と、前記指定した色の色相、色の濃さ（彩度）、明るさ（明度）を指示する目標色指定手段と、前記目標色指定手段により指示した色の座標を表示する調整色表示手段と、で構成され、前記調整色表示手段は、明るさに対する色の濃さ、色相を示す３次元色空間を示し、前記指定した色の明るさに対応した色の濃さ、色相の色分布を表示する第１カラープレーンと、前記目標色指定手段により決定した色の明るさに対応した色の濃さ、色相の色分布を表示する第２カラープレーンと、を表示する機能を有することを特徴とするものである。
【０００７】
この構成によれば、３次元で表現された色空間において、明度に対応した色相・彩度の表示面を表示させることができ、その色相・彩度の表示面で調整色の座標を表示したり、目標色の明度に対応した色相・彩度の表示面を表示させることができるので、色変化の状態軌跡を表示確認しながら色調整できる。
【発明の効果】
【０００８】
このような表示態様であれば、色知識がないユーザーでも簡単に現在表示している色から目標とする色への色変更が容易に実現できるという効果がある。
【発明を実施するための最良の形態】
【０００９】
以下、本発明の実施形態について説明する。
【００１０】
＜概要＞
図１は、本発明の一実施形態であるプロジェクタの利用形態を示す図である。
【００１１】
同図おいてプロジェクタ１００は、入力端子に接続されたパソコン１５０からの映像信号を内部で信号処理し、液晶パネルに展開してスクリーン１６０に拡大表示する。表示中にユーザ−のマウス１３０の操作により色調整を行うことが指示されると、プロジェクタ１００は、スクリーン１６０に表示された画像を左右２つの領域に分割し、一方の領域を元の色のままで表示し、他方の領域をユーザ−に指示される色に応じて色変換して表示する。
【００１２】
図２に色調整の際の表示態様の一例を示す。
【００１３】
画像が表示されている最中にユーザ−がマウス１３０を動かすと、図２（ａ）に示すように、画像上にカーソルが表示される。マウス操作でカーソルを動かして適当な位置で左クリックすると、図２（ｂ）に示すように、画像を左右２つの領域に分割する境界線２が表示され、また色調整用画面２０が表示される。この色調整用画面２０は、色調整の指示をユーザが入力するための画面であり、色調整する対象の色を表示する調整色パレット３と、調整後の色を表示する目標色パレット５と、調整パレット３の色が３次元色空間上でどの座標に位置するかを示す調整色表示手段と、決めようとしている色を色相、色の濃さ（彩度）、明るさ（明度）を指定スケールで指示する目標色指定手段６とをマウス操作で入力できるように構成されている。この画面から色調整が指示されると、図２（ｃ）に示すように、境界線の右側の領域は、調整対象に指定された色の部分が指定された色に変更されて表示され、境界線の左側の領域は、元の色のままで表示される。マウス１３０が右側の領域を左クリックすることにより、色の変更を認める旨の指示を入力すると、図２（ｄ）に示すように、画面全体が指示された色に基づいて色変換されて表示される。
【００１４】
図３は図２（ｂ）に示した色調整画面の詳細を示すものである。調整色表示手段４として、黒から白までの明るさ（縦軸）に対する色の濃さ、色相を示す３次元の色づけされた色空間を示し、カーソルで示した色をその明るさに対応した色分布で第１カラープレーン５１に表示し、色調整画面右側の目標色指定手段により決定された色をその明るさに対応した色分布で第２カラープレーン５３に表示させる。これにより、色変換前の色の状態から色変換後の色の状態までを３次元に視覚的表示させながら色変換を実現させる。
【００１５】
＜構成＞
このような表示態様を実現する構成について以下に説明する。
【００１６】
図５は、プロジェクタ１００の外観図を示す。
【００１７】
プロジェクタ１００は、入力端子として、筐体一側面にマウス１３０が接続されるＵＳＢ接続端子１４、ビデオ入力端子１１、Ｓビデオ入力端子１２、ＲＧＢ／ＹＰｂＰｒ入力端子１３を備え、筐体前面にリモコン１４０の信号を入力するためのリモコン受光部１７０とレンズ１９０を備え、筐体上面には方向キー１２０、決定ボタン１１０を備える。
【００１８】
図６は、プロジェクタ１００の構成を示すブロック図である。
【００１９】
プロジェクタ１００は、発明の主要部として色変換回路４０、オンスクリーン処理回路５０、メインマイコン７０及び外部インターフェース７１を備える。そして色変換回路４０の前段には、入力される各種の映像信号について前処理を行う部分を備え、オンスクリーン処理回路５０の後段には、表示のために映像信号を液晶パネルに展開する処理部分を備える。
【００２０】
以下では、まず前段部分と後段部分の構成について簡単に説明し、後に主要部について説明する。
【００２１】
前段部分の構成は、ビデオ入力端子１１、Ｓビデオ入力端子１２、ＲＧＢ／ＹＰｂＰｒ入力端子１３、カラーデコーダ２２、Ｙ／Ｃ分離回路２３、マトリクス回路２４、Ａ／Ｄコンバータ３０、リサイズ回路３５、入力セレクタ２１、２５、２６から成る。
【００２２】
ビデオ端子１１、Ｓビデオ入力端子１２及びＲＧＢ／ＹＰｂＰｒ入力端子１３はそれぞれ、ＮＴＳＣ方式のコンポジットビデオ信号を入力するための端子、Ｓビデオ信号を入力するための端子、及びＲＧＢ信号又はＹＰｂＰｒ信号を入力するための端子である。これらの端子から入力される信号は、その信号のビデオ信号規格の種類に応じて、カラーデコーダ２２、Ｙ／Ｃ分離回路２３、マトリクス回路２４で処理されてＲＧＢ信号に変換された上で、Ａ／Ｄコンバータ３０に入力される。
【００２３】
カラーデコーダ２２は、Ｙ／Ｃ分離された信号または入力されたＹ／Ｃ信号をＹＰｂＰｒ信号にカラーデコードするためのデコーダである。
【００２４】
Ｙ／Ｃ分離回路２３は、カラーデコーダ２２によって入力されたコンポジットビデオ信号を、Ｙ信号とＣ信号とに分離するための回路である。
【００２５】
マトリクス回路２４は、ＹＰｂＰｒ端子から入力されるＹＰｂＰｒ信号に従来技術である所定の処理を施してＲＧＢ信号を再生する回路である。
【００２６】
Ａ／Ｄコンバータ３０は、入力セレクタ２６によって選択されたアナログ信号を、１０ｂｉｔのデジタル信号へ変換するためのコンバータである。
【００２７】
リサイズ回路３５は、デジタル信号を、ＬＣＤパネル９１〜９３の画素数に応じてリサイズするための回路である。リサイズ回路３５は、リサイズした映像信号を一時的に内部メモリに蓄積し、入力セレクタ２６からの同期信号に同期させながら走査順に色変換回路４０に出力する。また、メインマイコン７０よりフリーズの指示があると、内部メモリの更新を停止し、つまり指示された時に蓄積されている１フレームの映像信号を保持しつづけて、それが次のフレームの映像信号により書きかえられないようにして、その上で、内部メモリに保持されている映像信号を、フレーム周波数に合わせて繰り返し色変換回路４０へ出力する。
【００２８】
後段部分の構成は、デジタル相展開回路８１、８２、８３、パネル駆動ＩＣ９０、ＬＣＤパネル９１、９２、９３から成る。
【００２９】
デジタル相展開回路８１〜８３は、ＬＣＤパネル９１〜９３の駆動ドライバ（不図示）の動作速度を考慮して、色変換回路４０によって色補正されたデジタル信号を相展開するための回路である。
【００３０】
パネル駆動ＩＣ（Ｉｎｔｅｇｒａｔｅｄ  Ｃｉｒｃｕｉｔ）９０は、ＬＣＤパネル９１〜９３を駆動するための回路である。
【００３１】
ＬＣＤパネル９１〜９３は、色変換回路４０によって色補正され、デジタル相展開回路８１〜８３によって相展開されたデジタル信号をカラー表示するためのパネルである。
【００３２】
次に、主要部の構成について説明する。
【００３３】
色変換回路４０は、メインマイコン７０より色調整に関する指示に応じて、リサイズ回路３５により出力される１フレーム分の映像信号を、メインマイコン７０により指示される境界位置で２つの領域に分割し、一方の領域の映像信号をそのまま出力し、他方の領域の映像信号をメインマイコン７０より指示される色に応じて色変換して出力する。
【００３４】
図７は、色変換回路４０の構成を示すブロック図である。
【００３５】
同図において色変換回路４０は、色変換ＬＵＴ（Ｌｏｏｋ  Ｕｐ  Ｔａｂｌｅ）５２、出力セレクタ５５、取り込み位置制御部５８及び切替制御部５６から構成される。
【００３６】
色変換ＬＵＴ５２は、入力され得るすべての色信号の値それぞれと内部メモリの各アドレスとを対応付けており、各アドレスに出力されるべき色信号の値を保持している。そして色変換ＬＵＴ５２は、１つの色信号が入力されると、その色信号に対応するアドレスに保持される色信号を出力する。
【００３７】
各アドレスには、入力される色信号と同じ値の色信号が初期値として保持されており、後に、色調整に伴うメインマイコン７０による書き込み操作によってアドレスの内容は書き換えられる。
【００３８】
切替制御部５６は、メインマイコン７０から２分割表示の境界位置の座標が指示されると、その座標を記憶保持し、出力セレクタ５５に適宜切替信号を出力して切替を行わせる。
【００３９】
図８は、切替制御部５６の構成を示すブロック図である。
【００４０】
同図において切替制御部５６は、主には、ラッチ５６１とカウンタ５６２とから構成される。ラッチ５６１は、メインマイコン７０から入力される境界位置の座標を保持する。
【００４１】
カウンタ５６１は、映像信号の１画素又は１ラインが色変換回路４０に入力されるタイミングをカウントすることにより、２領域の境界を検出し、当該検出時にキャリーアウト、すなわち切替信号を出力セレクタ５５に出力する。
【００４２】
出力セレクタ５５は、切替制御部５６からの切替信号に従って、リサイズ回路３５から入力される色信号と、色変換ＬＵＴ５２からの色信号とのどちらか一方を、オンスクリーン処理回路５０に出力する。
【００４３】
より具体的に、画像を左右に分割する場合、出力セレクタ５５は、切替制御部５６からリセットによる切替信号が入力されると、リサイズ回路３５から入力される色信号をそのまま出力し、ラッチとカウンタの値が同値になったことによる切替信号が入力されると、色変換ＬＵＴ５２からの色信号を出力する。
【００４４】
また、画像を上下に分割する場合、出力セレクタ５５は、切替制御部５６からリセットによる切替信号が入力されると、リサイズ回路３５から入力される色信号をそのまま出力し、ラッチとカウンタの値が同値になったことによる切替信号が入力されると、色変換ＬＵＴ５２からの色信号を出力する。
【００４５】
取り込み位置制御部５８は、メインマイコン７０より指定される座標位置にある色信号の値を取得してメインマイコン７０に出力する。このメインマイコン７０より指定される座標位置とは、すなわち、マウス操作によってユーザから指定される、色調整の対象となる画像部分に相当する。
【００４６】
詳しくは、取り込み位置制御部５８は、水平同期信号カウンタと画素クロックカウンタで構成されており、これらによりメインマイコン７０より指定される座標位置を特定し、特定した位置にある色信号を取得してメインマイコン７０に出力する。
【００４７】
この構成により例えば、左クリックが押下されたとき、その入力を外部インターフェース７１から受けたメインマイコン７０は、カーソル位置を中心とする２０画素四方に含まれる各座標を、取り込み位置制御部５８に通知する。すると、取り込み位置制御部は、その２０画素四方の位置を水平同期信号カウンタ及び画素クロックカウンタによるカウントで特定し、そこに含まれる色信号を取得してメインマイコン７０に出力する。
【００４８】
オンスクリーン処理回路５０は、メインマイコン７０の指示に基づいて、オンスクリーン表示用の３次元画像を生成し、これと色変換回路４０より出力される映像信号の画像とを合成して出力する回路である。オンスクリーン表示用の３次元画像とは、本発明では特に、色調整のための明るさに対応したカラープレーンを表示できる色調整用画像と境界線のことである。
【００４９】
図３は、オンスクリーン処理回路５０によりオンスクリーン表示される色調整用画像と境界線の一例を示す。
【００５０】
図４は図３の調整色表示手段４の調整表示態様を示す図である。
【００５１】
図３において、色調整用画面２０の調整色パレット３は、カーソル１により選択した色調整の対象となる色を示すものである。
【００５２】
調整色表示手段４は、調整パレット３の色が３次元色空間上でどの座標に位置するかを示すものであり、第１カラープレーン５１は調整色パレット３の明るさが持つ色分布をプレーン上に表示し、その中での色の濃さと色相に対応した座標を図４（ａ）の調整色座標５４に示す。
【００５３】
調整色表示手段４をユーザーが見やすくするために、一旦第１カラープレーン５１を消去する。そしてさらに調整色表示手段は目標色指定手段６によって決めようとしている色を第２カラープレーン５３に表示し、図４（ｃ）の目標色座標５７のように表示する。その時合わせて目標色パレット５に、色変換後の色を表示する。
【００５４】
境界線２は、以下のような太さ、明度、彩度で表示される。まず、太さは画面のサイズをＳＸＧＡ（１２８０画素×１０２４画素）とした場合、１％以下の太さであることが望ましい。例えば画面を左右に分割する場合、１２８０画素の１％、すなわち１２画素以下の太さとなる。また彩度については無彩色、明度については可変できることが望ましいが、可変できない場合は白１００％の輝度の２０〜４０％の明るさで表示させることが望ましい。これは、人間の視覚が境界線も画像の１つとして認識して、全体の画像の色の認識に悪影響を及ぼすと考えられるため、できる限り境界線による影響を低減しようとしたものである。
【００５５】
外部インターフェース７１は、各種ユーザー操作部からの入力、すなわち、ＵＳＢ接続端子１４に接続されたマウス１３０からの入力、リモコン受光部１７０に入力されるリモコン１４０からの信号、方向キー１２０、決定ボタン１１０の押下を、メインマイコン７０に伝えるインターフェースである。
【００５６】
メインマイコン７０は、電源制御、ファン制御、温度制御、入力切り換え制御など装置全体のあらゆる制御を行い、また特に、色調整時には外部インターフェース７１を通じて入力されるユーザーのマウス操作等に応じて、リサイズ回路３５、色変換回路４０、オンスクリーン処理回路５０等に各種の指示を出して、色調整に関する処理の制御を行う。
【００５７】
以下、メインマイコン７０の色調整に関する処理を列挙する。
【００５８】
（１）メインマイコン７０は、映像の表示中において、マウス１３０が動かされたとき、リモコン１４０の方向キーが押下されたとき、又は方向キー１２０が押下されたときに、それらに応じた信号が外部インターフェース７１より入力されると、オンスクリーン処理回路５０に指示してカーソルを表示させる。
【００５９】
カーソルを表示させるとはつまり、メインマイコン７０が、オンスクリーン処理回路５０に、カーソルの画像と映像信号の画像とを合成する旨の指示と、カーソルを表示すべき位置の位置座標とを伝え、オンスクリーン処理回路がそれに応じてカーソルの画像を、映像信号の画像の位置座標上に合成することである。
【００６０】
（２）このカーソル表示に続いて、カーソル表示中に、マウス１３０の左クリック、リモコン１４０の決定ボタン押下、又は決定ボタン１１０の押下があると、メインマイコン７０は、リサイズ回路３５に画像をフリーズするよう指示する。この指示によりリサイズ回路３５は、次のフレームの映像信号のリサイズを中断して、内部メモリに保持している１フレーム分の映像信号を色変換回路４０に繰り返し出力する。
【００６１】
（３）続いて、メインマイコン７０は、オンスクリーン処理回路５０に指示して境界線を表示させる。より詳しくは、メインマイコン７０は、左クリックまたは決定ボタンが押下されたときのカーソルの位置座標を取得し、続いて、その位置座標の付近の位置座標と、境界線の画像を映像信号の画像に合成する旨の指示とをオンスクリーン処理回路５０に伝える。するとオンスクリーン処理回路は、指示された位置座標に縦向きの境界線を表示する。
【００６２】
ここでカーソルの位置座標の付近の位置座標とは、例えば、カーソルの位置座標から５０画素分左にある位置座標とする。
【００６３】
要するにこれは、カーソルの座標位置やその近辺の画像を色調整の対象として、それらが境界線より右側の領域に含まれるようにしている。またカーソルの位置座標と境界線の座標との距離を５０画素程度にして、色調整の対象とする部分と境界線とが離れ過ぎないようにすることで、色調整の対象部分と境界線の左側の元の色で表示されている部分とを、人間が見比べ易いようにしている。
【００６４】
（４）さらに、メインマイコン７０は、オンスクリーン処理回路５０に指示して色調整用画面を表示させる。
【００６５】
より具体的には、メインマイコン７０は、色調整用画面の画像と映像信号の画像とを合成させる旨の指示と、色調整用画面の構成内容についての情報とをオンスクリーン処理回路５０に伝える。
【００６６】
ここで構成内容についての情報とは、色調整用パレット３、調整色指定手段４及び目標色パレット５に表示する色、目標色指定手段６に表示される各スケールのインジケータの位置のことである。
【００６７】
メインマイコン７０は、以下のようにして構成内容についての情報の初期値を決定してオンスクリーン処理回路６０に伝える。
【００６８】
すなわち、メインマイコン７０は、左クリック又は決定ボタンが押下されたとき、カーソル位置を中心とする２０画素四方の色の値、つまり４００画素分の色の値を、取り込み制御部５８から取得する。そして、４００画素中の色のうち最も多い色を、調整色パレット３及び目標色パレット５の初期の色とする。また、その初期の色が持つ明るさを演算し、その明るさに対応した第１カラープレーンと調整色座標５３を表示させる。
【００６９】
（５）メインマイコン７０は、色調整用画面に対してなされたマウス操作等に応じてオンスクリーン処理回路６０に指示し、色調整用画面の構成内容を更新させる。
【００７０】
より詳しくは、マウス操作等によりカーソル１の取り込み場所が変わる度に小生色パレットの色と第１カラープレーン５１を更新するように指示し、目標色指定手段６の指定スケール６０１〜６０３のインジケータが、調整色パレット３の更新された色を示すようにする。
【００７１】
また指定スケール６０１〜６０３のインジケータの位置がマウス操作等に移動されると、移動後のインジケータの位置に応じて色の値、その色が持つ明るさ、表示すべき第２カラープレーン５３を計算し、計算された結果として目標色パレット５及び第２カラープレーン５３、目標色座標５７を表示する。
【００７２】
（６）色調整用画面が表示されている最中に、その画面を除く画像部分にカーソルが置かれた状態で左クリックされると、メインマイコン７０は、色変換回路４０に指示して、境界線より右側の領域を、色調整用画面で指示された色に変換させる。より具体的には、メインマイコン７０は、調整色パレット３の色の値と、目標色パレット５の色の値とを取得し、色変換ＬＵＴ５２における調整色パレット３の色の値に対応するアドレスの部分に、目標色パレット５の色の値を書き込む。そしてさらに、メインマイコン７０は、切替え制御部５６に境界線の座標を伝え、切替えを行うよう指示する。
【００７３】
これに応じて色変換回路４０は、境界線より左側の映像信号をそのまま出力し、境界線までくるとセレクタ５５を切替えて、境界線より右側の映像信号については、色変換ＬＵＴ５２によって変換された映像信号を出力する。
【００７４】
（７）この境界線右側の映像信号が色変換されて表示されている状態において、色調整用画面を除く画像部分が再度左クリックされると、メインマイコン７０は、色変換回路４０の切替え制御部５６に指示して、１フレームの映像信号がすべて、色変換ＬＵＴ５２を通って出力されるようにする。
【００７５】
これにより１フレームの画像全体が色変換されて表示される。
【００７６】
＜動作＞
このように構成されたプロジェクタ１００について以下に動作を説明する。
【００７７】
図９は、プロジェクタ１００の動作を示すフローチャートである。
【００７８】
図１のように画像が表示されている最中にマウス１３０が動かされると、メインマイコン７０は、オンスクリーン処理回路５０に指示して図２（ａ）のようにカーソルを表示させる（ステップＳ１１１）。
【００７９】
メインマイコン７０は、マウス１３０の移動に応じてカーソルが移動されるようにオンスクリーン処理回路５０にカーソルの表示位置を指示する（ステップＳ１１２）。
【００８０】
マウス１３０が左クリックされると、メインマイコン７０はその時のカーソルの表示位置の座標を取得して、その位置から５０画素分左にある位置のｘ座標と、縦向きの境界線を生成する旨の指示とをオンスクリーン処理回路５０に伝える（ステップＳ１１３）。
【００８１】
またこのときメインマイコン７０は、取得したカーソル表示位置の座標を中心とする２０画素四方の各座標を取り込み位置制御部５８に伝え、各座標の色信号を取り込み位置制御部５８から取得する。そして取得された色信号に基づいて色調整用画面の構成内容を決定し、構成内容についての情報をオンスクリーン処理回路５０に伝えて色調整用画面を生成させる。
【００８２】
ステップＳ１１３の処理とほぼ同時に、メインマイコン７０は、リサイズ回路３５に画像をフリーズするよう指示する（ステップＳ１１４）。
【００８３】
これらの指示によりリサイズ回路３５は、内部メモリに記憶された１フレームの画像を繰り返し出力することにより画像をフリーズさせる。またオンスクリーン処理回路５０は、縦向きの境界線と色調整用画面とをリサイズ回路３５からの画像に合成して出力する。その結果図２（ｂ）のような表示になる（ステップＳ１１５）。
【００８４】
色調整用画面に対するマウス１３０の操作に応じて、メインマイコン７０はオンスクリーン処理回路５０に調整色パレット３、目標色パレット５及び第１カラープレーン５１、第２カラープレーン５３、調整色座標５４，目標色座標５７の構成内容を更新させる（ステップＳ１１６）。
【００８５】
色調整用画面以外の画像部分が左クリックされると、メインマイコン７０は、色調整用画面の内容に応じて色変換ＬＵＴ５２の内容を更新し、切替制御部５６に切り替え制御を行わせる。その結果、色変換処理回路４０は、境界線より左側の映像信号をそのまま出力し、境界線までくると出力セレクタ５５を切替えて、境界線より右側の映像信号については、色変換ＬＵＴ５２によって変換された映像信号を出力する（ステップＳ１１７）。
【００８６】
このように２分割表示された状態で、色調整用画面がマウス操作されると、ステップＳ１１６に戻って処理を繰り返す（ステップＳ１１８）。または、色調整用画面以外の画像が左クリックされると、メインマイコン７０は、色調整の終了とみなして（ステップＳ１１８）、オンスクリーン処理回路５０に境界線及び色調整用画面の合成を終了させるとともに、切替制御部５６に指示して、１フレームの映像信号がすべて、色変換ＬＵＴ５２を通って出力されるようにし、図２（ｄ）のように色変換ＬＵＴ５２の書き換えのあった部分が色変換されて表示される（ステップＳ１１９）。
【００８７】
以上のようにして、本実施形態のプロジェクタ１００は、３次元で表現された色空間において、明るさに対応した色の濃さと色相平面が表示させることができ、その色平面で調整色の座標を表示したり、目標色の明るさに対応した色の濃さと色相平面が表示させることができるので、色変化の状態軌跡を表示確認しながら色調整でき、色知識がないユーザーでも簡単に現在表示している色から目標とする色への色変更が容易に実現できるという効果がある。
【００８８】
＜その他の実施形態＞
その他、本発明は上記実施形態に限らず、以下のように実施してもよい。
【００８９】
（１）本発明の画像表示装置は、プロジェクタに限らず、プラズマディスプレイ、液晶ディスプレイ、ＣＲＴ等、各種の表示媒体に画像を表示する装置であれば何でも良い。
【００９０】
（２）切替制御部５６は、図１０に示すようにカウントダウン方式の構成にしてもよい。すなわち、メインマイコン７０により境界線の座標がラッチに保持されており、水平同期信号が入力されると、カウンタはラッチに保持された値をセットして（ステップＳ１２１）、カウントダウンを繰り返し（ステップＳ１２２）、カウント値が０になったとき（ステップＳ１２３）、切り替え信号を出力する（ステップＳ１２４）。
【００９１】
（３）調整色表示手段４は、図１１に示すように色の濃さと色相の色分布をユーザーに対してより解りやすく見せるため、縦軸を黒から白までの明るさの軸としてラグビーボール型にし、サークル面積最大のところが、赤、緑、青の色の濃さ最大になるように色をマッピングする。このような３次元色空間の表示においても、第１カラープレーン５１、第２カラープレーン５２を表示することで、視認しやすい調整色座標５４や目標色座標５７を３次元的に表示できる。
【００９２】
（４）調整色表示手段４では図３に示すような輝度−色差の色立体で表示させているが、これに限定することなく、マンセル表色色立体、ＰＣＣＳ色立体、オストワルト色立体、ＮＣＳ色立体などを表示させて色調整を行うこともできる。
【００９３】
さらに、それらの色立体をより視覚的に解りやすく表示させるため２次元表示を適用し、例えば図１２（ａ―１）の色立体を展開して図１２（ａ―２）を図３の調整色表示手段４に適用してもよいし、又は図１２（ｂ）のように明度調整に連動する２次元の色相−彩度図を図３の調整色表示手段４に適用、表示させてもよい。
【００９４】
（５）カーソル表示、境界線表示において、オンスクリーン処理回路５０が画像を表示、合成をしているが、色変換回路４０内で取り込み位置に対応したカーソル表示やメインマイコン７０からの制御により境界線を表示させ合成してもよい。
【００９５】
（６）図４（ｂ）において、第２カラープレーン上の目標色の座標と、第１カラープレーンで指定した色の座標からの変換過程の軌跡を表示する座標軌跡５９を表示させ、ユーザーはより色変換の状態を理解しやすくさせてもよい。
【００９６】
（７）図７において、色変換ＬＵＴ５２の代わりに演算部を備えるようにしてもよい。
【００９７】
演算部は、色信号のＲＧＢ値について３×３のマトリクス演算を行う回路と、マトリクス演算された信号のゲインをアンプする回路とからなり、マトリクス係数やゲイン係数はメインマイコン７０により設定される。マトリクス係数は、色調整用画面により指定された目標の色信号を近似する値となっている。
【００９８】
（８）色変換ＬＵＴ５２は、８×８×８ビットでもよいし、メモリ容量を少なくするために５×５×５ビットにして、残りのビットを補間回路により補間演算するよう構成してもよい。
【００９９】
（９）図６、７、８に示す各構成要素の処理をコンピュータが実行可能なプログラムで実現してもよい。
【産業上の利用可能性】
【０１００】
本発明にかかる画像表示装置及び画像表示方法は、色知識がないユーザーでも簡単に現在表示している色から目標とする色への色変更が容易に実現できるという効果を有し、プロジェクタ、ＤＶＤプレーヤー、パソコン等によってスクリーンやディスプレイ等の表示媒体に表示される画像を色調整する際の表示態様等として有用である。
【図面の簡単な説明】
【０１０１】
【図１】本発明の一実施形態であるプロジェクタの利用形態を示す図
【図２】色調整の際の表示態様の一例を示す図
【図３】本発明の一実施形態である色調整用画面を示す図
【図４】調整色表示手段の調整表示態様を示す図
【図５】プロジェクタ１００の外観図
【図６】プロジェクタ１００の構成を示すブロック図
【図７】色変換回路４０の構成を示すブロック図
【図８】切替制御部５６の構成を示すブロック図
【図９】プロジェクタ１００の動作を示すフローチャート
【図１０】切替制御部５６のバリエーションを表す図
【図１１】色調整用画面２０のバリエーションを表す図
【図１２】色調整用画面２０のバリエーションを表す図
【符号の説明】
【０１０２】
１１  ビデオ入力端子
１２  Ｓビデオ入力端子
１３  ＲＧＢ／ＹＰｂＰｒ入力端子
１４  ＵＳＢ接続端子
２１、２５、２６  入力セレクタ
２２  カラーデコーダ
２３  Ｙ／Ｃ分離回路
２４  マトリクス回路
３０  Ａ／Ｄコンバータ
３５  リサイズ回路
４０  色変換回路
５０  オンスクリーン処理回路
５１  第１カラープレーン
５２  色変換ＬＵＴ（Ｌｏｏｋ  Ｕｐ  Ｔａｂｌｅ）
５３  第２カラープレーン
５４  調整色座標
５５  出力セレクタ
５６  切替制御部
５７  目標色座標
５８  位置制御部
５９  座標軌跡
７０  メインマイコン
７１  外部インターフェース
８１〜８３  デジタル相展開回路
９０  パネル駆動ＩＣ
９１〜９３  ＬＣＤパネル
１００  プロジェクタ
【図１】
2006215146.tif 000003
【図２】
2006215146.tif 000004
【図３】
2006215146.tif 000005
【図４】
2006215146.tif 000006
【図５】
2006215146.tif 000007
【図６】
2006215146.tif 000008
【図７】
2006215146.tif 000009
【図８】
2006215146.tif 000010
【図９】
2006215146.tif 000011
【図１０】
2006215146.tif 000012
【図１１】
2006215146.tif 000013
【図１２】
2006215146.tif 000014